【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
特定の処理を行う情報処理装置であって、
部門を示す部門情報と、前記特定の処理の実行毎にカウントされる部門別のカウント情報を保持する保持手段と、
前記保持手段に保持されている部門別のカウント情報を表示する表示手段と、
前記保持手段に保持されている部門情報または当該部門情報が示す部門に対応するカウント情報のうち少なくとも一方の削除を指示する指示手段と、
前記指示手段による削除指示に基づき、前記保持手段に保持されている部門情報または当該部門情報が示す部門に対応するカウント情報を削除することなく保持させ、前記表示手段に対して前記削除が指示された部門情報または当該部門情報に対応するカウント情報の表示を制限する制御手段と、
を有することを特徴とする情報処理装置。
【請求項２】
前記指示手段による削除指示に基づき、前記保持手段に保持されているカウント情報を外部装置に送信する送信手段を備えることを特徴とする請求項１記載の情報処理装置。
【請求項３】
特定の処理を行う情報処理装置であって、
部門を示す部門情報と、前記特定の処理の実行毎にカウントされる部門別のカウント情報を保持する保持手段と、
前記保持手段に保持されている部門情報または当該部門情報が示す部門に対応するカウント情報のうち少なくとも一方の削除を指示する指示手段と、
前記指示手段による削除指示がない場合は、前記保持手段に保持されている部門別のカウント情報を外部装置に特定期間毎に送信し、前記指示手段による削除指示がある場合は、前記特定期間とは異なるタイミングで、前記削除が指示された部門情報が示す部門に対応するカウント情報または前記削除が指示されたカウント情報を外部装置に送信する送信手段と、
を有することを特徴とする情報処理装置。
【請求項４】
前記送信手段による送信後、前記外部装置からの送信応答が正常である場合、前記保持手段に保持されている前記削除が指示された部門情報または当該部門情報が示す部門に対応するカウント情報のうち少なくともいずれか一方を削除する削除手段を有することを特徴とする請求項２又は３記載の情報処理装置。
【請求項５】
前記送信手段による送信回数が特定回数を超えた場合、送信失敗を特定の通知先に通知する通知手段を有することを特徴とする請求項２〜４のいずれかに記載の情報処理装置。
【請求項６】
前記特定の処理は、画像入力処理、画像出力処理、画像複写処理、画像送信処理、画像受信処理を含むことを特徴とする請求項１〜５のいずれかに記載の情報処理装置。
【請求項７】
特定の処理を行う情報処理装置における情報処理方法であって、
部門を示す部門情報と、前記特定の処理の実行毎にカウントされる部門別のカウント情報を保持する保持手段を備え、
前記保持手段に保持されている部門別のカウント情報を表示手段に表示する表示ステップと、
前記保持手段に保持されている部門情報または当該部門情報が示す部門に対応するカウント情報のうち少なくとも一方の削除を指示する指示ステップと、
前記指示ステップによる削除指示に基づき、前記保持手段に保持されている部門情報または当該部門情報が示す部門に対応するカウント情報を削除することなく保持させ、前記表示手段に対して前記削除が指示された部門情報または当該部門情報に対応するカウント情報の表示を制限する制御ステップと、
を有することを特徴とする情報処理方法。
【請求項８】
特定の処理を行う情報処理装置における情報処理方法であって、
部門を示す部門情報と、前記特定の処理の実行毎にカウントされる部門別のカウント情報を保持する保持手段を備え、
前記保持手段に保持されている部門情報または当該部門情報が示す部門に対応するカウント情報のうち少なくとも一方の削除を指示する指示ステップと、
前記指示ステップによる削除指示がない場合は、前記保持手段に保持されている部門別のカウント情報を外部装置に特定期間毎に送信し、前記指示ステップによる削除指示がある場合は、前記特定期間とは異なるタイミングで、前記削除が指示された部門情報が示す部門に対応するカウント情報または前記削除が指示されたカウント情報を外部装置に送信する送信ステップと、
を有することを特徴とする情報処理方法。
【請求項９】
請求項７または８に記載の情報処理方法をコンピュータに実行させることを特徴とするプログラム。
【手続補正２】
【補正対象書類名】明細書
【補正対象項目名】発明の名称
【補正方法】変更
【補正の内容】
【発明の名称】情報処理装置および情報処理方法およびプログラム
【手続補正３】
【補正対象書類名】明細書
【補正対象項目名】００１２
【補正方法】変更
【補正の内容】
【００１２】
特定の処理を行う情報処理装置であって、部門を示す部門情報と、前記特定の処理の実行毎にカウントされる部門別のカウント情報を保持する保持手段と、前記保持手段に保持されている部門別のカウント情報を表示する表示手段と、前記保持手段に保持されている部門情報または当該部門情報が示す部門に対応するカウント情報のうち少なくとも一方の削除を指示する指示手段と、前記指示手段による削除指示に基づき、前記保持手段に保持されている部門情報または当該部門情報が示す部門に対応するカウント情報を削除することなく保持させ、前記表示手段に対して前記削除が指示された部門情報または当該部門情報に対応するカウント情報の表示を制限する制御手段とを有することを特徴とする。
【手続補正４】
【補正対象書類名】明細書
【補正対象項目名】００１３
【補正方法】変更
【補正の内容】
【００１３】
また、特定の処理を行う情報処理装置であって、部門を示す部門情報と、前記特定の処理の実行毎にカウントされる部門別のカウント情報を保持する保持手段と、前記保持手段に保持されている部門情報または当該部門情報が示す部門に対応するカウント情報のうち少なくとも一方の削除を指示する指示手段と、前記指示手段による削除指示がない場合は、前記保持手段に保持されている部門別のカウント情報を外部装置に特定期間毎に送信し、前記指示手段による削除指示がある場合は、前記特定期間とは異なるタイミングで、前記削除が指示された部門情報が示す部門に対応するカウント情報または前記削除が指示されたカウント情報を外部装置に送信する送信手段とを有することを特徴とする。
【手続補正５】
【補正対象書類名】明細書
【補正対象項目名】００１５
【補正方法】変更
【補正の内容】
【００１５】
特定の処理を行う情報処理装置における情報処理方法であって、部門を示す部門情報と、前記特定の処理の実行毎にカウントされる部門別のカウント情報を保持する保持手段を備え、前記保持手段に保持されている部門別のカウント情報を表示手段に表示する表示ステップと、前記保持手段に保持されている部門情報または当該部門情報が示す部門に対応するカウント情報のうち少なくとも一方の削除を指示する指示ステップと、前記指示ステップによる削除指示に基づき、前記保持手段に保持されている部門情報または当該部門情報が示す部門に対応するカウント情報を削除することなく保持させ、前記表示手段に対して前記削除が指示された部門情報または当該部門情報に対応するカウント情報の表示を制限する制御ステップとを有することを特徴とする。
【手続補正６】
【補正対象書類名】明細書
【補正対象項目名】００１６
【補正方法】変更
【補正の内容】
【００１６】
また、特定の処理を行う情報処理装置における情報処理方法であって、部門を示す部門情報と、前記特定の処理の実行毎にカウントされる部門別のカウント情報を保持する保持手段を備え、前記保持手段に保持されている部門情報または当該部門情報が示す部門に対応するカウント情報のうち少なくとも一方の削除を指示する指示ステップと、前記指示ステップによる削除指示がない場合は、前記保持手段に保持されている部門別のカウント情報を外部装置に特定期間毎に送信し、前記指示ステップによる削除指示がある場合は、前記特定期間とは異なるタイミングで、前記削除が指示された部門情報が示す部門に対応するカウント情報または前記削除が指示されたカウント情報を外部装置に送信する送信ステップとを有することを特徴とする。